(57)【特許請求の範囲】
【請求項１】
給水路より供給される水をバーナの燃焼により加熱し給湯用熱交換器を介して出湯路に供給するとともに、給湯循環ポンプを介して再度前記給湯用熱交換器に戻して給湯循環回路を形成し、前記給湯循環回路には利用側熱交換器を配設して負荷側に熱量を供給する利用側回路を形成するとともに、前記利用側熱交換器を経由した前記給湯循環回路から分岐して給湯栓および風呂注湯用の給湯路を形成し、前記利用側回路と前記給湯路を同時に使用可能とした１缶多水路の給湯装置であって、
前記給湯路に配設され前記給湯循環回路と前記給湯路を遮断または連通可能な水量制御弁と、
前記水量制御弁の下流側で前記給水路と前記給湯路を連通するよう形成されたバイパス通路と、
前記バイパス通路上に形成され前記給水路と前記給湯路を遮断または連通可能なバイパス制御弁と、を備え、
給湯運転時には、前記水量制御弁と前記バイパス制御弁とを連通状態として前記給湯路から給湯可能とし、
水単独供給時には、前記水量制御弁を遮断状態とし前記バイパス制御弁を連通状態として前記給湯路から出水可能とする
給湯装置。
【請求項２】
水量制御弁の下流側で給湯路と利用側回路を連通するよう形成された注湯回路をさらに備え、
水単独供給時には、前記水量制御弁を遮断状態としバイパス制御弁を連通状態として前記注湯回路から出水可能とした
請求項１記載の給湯装置。
【請求項３】
利用側熱交換器として、暖房や浴室乾燥等を行う暖房装置を有する暖房回路に熱量を供給する暖房用熱交換器として用い、給湯または暖房の単独利用、あるいは給湯と暖房の同時利用、を選択できるようにした請求項１記載の給湯装置。
【請求項４】
利用側熱交換器として、風呂の追い焚きを行う風呂回路に熱量を供給する風呂用熱交換
器として用い、給湯または風呂追い焚きの単独利用、あるいは給湯と風呂追い焚きの同時利用、を選択できるようにした請求項１記載の給湯装置。
【請求項５】
利用側熱交換器として、暖房や浴室乾燥等を行う暖房装置を有する暖房回路に熱量を供給する暖房用熱交換器と、風呂の追い焚きを行う風呂回路に熱量を供給する風呂用熱交換器を設け、給湯または暖房または風呂追い焚きの単独利用、あるいは給湯と暖房と風呂追い焚きのうち少なくとも２つの同時利用、を選択できるようにした請求項１または２記載の給湯装置。
【請求項６】
利用側熱交換器として複数個設ける場合、給湯循環回路に対して各熱交換器を並列に接続し、給湯用熱交換器から供給される湯水温度が略同一となるようにした請求項１〜５のいずれか１項記載の給湯装置。
【発明の詳細な説明】
【技術分野】
【０００１】
本発明は、バーナの燃焼熱により加熱する給湯用熱交換器を介して供給される湯水を循環させて複数の負荷側に熱量を供給する１缶多水路の給湯装置に関するものである。
【背景技術】
【０００２】
従来この種の燃焼装置としては、特許文献１のように、給水路を通して供給される水をバーナの燃焼により加熱して給湯路に給湯する給湯用熱交換器と、入路を通して供給される加熱対象流体を前記バーナの燃焼により加熱して出路に流出する流体用熱交換器とが設けられている給湯装置であって、前記給湯用熱交換器が前記バーナの燃焼排ガスの顕熱を回収する給湯用顕熱熱交換部と、その給湯用顕熱熱交換部よりも前記バーナの燃焼排ガスの流動方向の下流側に配置され、前記バーナの燃焼排ガスの潜熱を回収する給湯用潜熱熱交換部とを備えて構成され、前記流体用熱交換器が、前記バーナの燃焼排ガスの顕熱を回収する流体用顕熱熱交換部と、その流体用顕熱熱交換部よりも前記バーナの燃焼排ガスの流動方向の下流側に配置され、前記バーナの燃焼排ガスの潜熱を回収する流体用潜熱熱交換部とを備えて構成され、前記給湯用顕熱熱交換部と流体用顕熱熱交換部とが、互いに熱伝導する状態で一体的に形成され、かつ、前記給湯用潜熱熱交換部と流体用潜熱熱交換部とが、互いに熱伝導する状態で一体的に形成された給湯装置が開示されている（例えば、特許文献１参照）。
【特許文献１】特開２００２−２６７２６２号公報
【発明の開示】
【発明が解決しようとする課題】
【０００３】
しかしながら、前記従来の給湯装置は、バーナで加熱される経路として、給湯用と流体用の２つの経路を形成しているため、配管構成が複雑になるとともに、単独運転時に運転停止側の熱交換器内の残水の沸騰が発生するという課題を有するものであった。
【０００４】
また、バーナの燃焼ガスの流出経路中に給湯用熱交換器と流体用熱交換器をそれぞれ配置し、前記給湯用熱交換器に給湯用顕熱熱交換部と給湯用潜熱熱交換部を設け、前記流体用熱交換器に流体用顕熱熱交換部と流体用潜熱熱交換部を設けた構成としているため、顕
熱熱交換部と潜熱熱交換部にそれぞれ給湯用熱交換器と流体用熱交換器を一体的に形成する必要があり、給湯用熱交換器及び流体用熱交換器として極めて複雑な構成を強いられるものであった。特に、潜熱熱交換部の構成として、耐食性を高めるためにステンレスパイプと銅管を用いた２重管構造とする場合などはその加工性に課題を有するものであった。
【０００５】
さらに、特異な利用形態として水のみを供給する場合、ミキシングバルブ１３をバイパス路１１側に全開状態とするため、給湯路３は湯水停滞状態となり、暖房運転や風呂追い焚き運転が行われると、給湯路３側の熱交換器内において沸騰現象が発生し、給湯路３内の圧力上昇により異常音や熱交換器の劣化等種々の弊害が発生するという課題を有するものであった。
【０００６】
本発明は前記従来の課題を解決するもので、給湯用熱交換器と潜熱回収用熱交換器で１つの加熱経路を形成し、前記加熱経路の循環水を利用して暖房回路や風呂回路に熱量を供給する構成とすることで、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路を主体とすることで給湯性能を優先した使い勝手のよい給湯装置を提供する。また、暖房運転や風呂追い焚き運転中における水単独供給を可能にして使い勝手のよい給湯装置を提供することを目的とする。
【課題を解決するための手段】
【０００７】
前記従来の課題を解決するために、本発明の給湯装置は、給水路より供給される水をバーナの燃焼により加熱し給湯用熱交換器を介して出湯路に供給するとともに、給湯循環ポンプを介して再度前記給湯用熱交換器に戻して給湯循環回路を形成し、前記給湯循環回路には利用側熱交換器を配設して負荷側に熱量を供給する利用側回路を形成するとともに、前記利用側熱交換器を経由した前記給湯循環回路から分岐して給湯栓および風呂注湯用の給湯路を形成し、前記利用側回路と前記給湯路を同時に使用可能とした１缶多水路の給湯装置であって、前記給湯路に配設され前記給湯循環回路と前記給湯路を遮断または連通可能な水量制御弁と、前記水量制御弁の下流側で前記給水路と前記給湯路を連通するよう形成されたバイパス通路と、前記バイパス通路上に形成され前記給水路と前記給湯路を遮断または連通可能なバイパス制御弁と、を備え、給湯運転時には、前記水量制御弁と前記バイパス制御弁とを連通状態として前記給湯路から給湯可能とし、水単独供給時には、前記水量制御弁を遮断状態とし前記バイパス制御弁を連通状態として前記給湯路から出水可能とするものである。
【０００８】
これによって、給湯用熱交換器と潜熱回収用熱交換器で１つの加熱経路を形成し、前記加熱経路の循環水を利用して暖房回路や風呂回路に熱量を供給する構成としているため、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路を主体とすることで給湯性能を優先した使い勝手のよい給湯装置を提供することができ、また、給湯循環回路と給湯路を水量制御弁により遮断可能とし、その下流側にバイパス通路からの水供給経路を形成することで、暖房運転や風呂追い焚き運転中の水単独供給を可能とすることができ、使い勝手の向上を図った給湯装置を提供することができる。
【発明の効果】
【０００９】
本発明の給湯装置は、給湯用熱交換器と潜熱回収用熱交換器で１つの加熱経路を形成するとともに、前記加熱経路と給湯路を水量制御弁により遮断可能な構成とすることで、暖房運転や風呂追い焚き運転中の水単独供給を可能とすることができる。
【発明を実施するための最良の形態】
【００１０】
第１の発明は、給水路より供給される水をバーナの燃焼により加熱し給湯用熱交換器を介して出湯路に供給するとともに、給湯循環ポンプを介して再度前記給湯用熱交換器に戻して給湯循環回路を形成し、前記給湯循環回路には利用側熱交換器を配設して負荷側に熱量を供給する利用側回路を形成するとともに、前記利用側熱交換器を経由した前記給湯循環回路から分岐して給湯栓および風呂注湯用の給湯路を形成し、前記利用側回路と前記給湯路を同時に使用可能とした１缶多水路の給湯装置であって、前記給湯路に配設され前記給湯循環回路と前記給湯路を遮断または連通可能な水量制御弁と、前記水量制御弁の下流側で前記給水路と前記給湯路を連通するよう形成されたバイパス通路と、前記バイパス通路上に形成され前記給水路と前記給湯路を遮断または連通可能なバイパス制御弁と、を備え、給湯運転時には、前記水量制御弁と前記バイパス制御弁とを連通状態として前記給湯路から給湯可能とし、水単独供給時には、前記水量制御弁を遮断状態とし前記バイパス制御弁を連通状態として前記給湯路から出水可能とするものである。
【００１１】
そして、給湯用熱交換器と潜熱回収用熱交換器で１つの加熱経路を形成し、前記加熱経路の循環水を利用して暖房回路や風呂回路に熱量を供給する構成としているため、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路を主体とすることで給湯性能を優先した使い勝手のよい給湯装置を提供することができ、また、給湯循環回路と給湯路を水量制御弁により遮断可能とし、その下流側にバイパス通路からの水供給経路を形成することで、暖房運転や風呂追い焚き運転中の水単独供給を可能とすることができ、使い勝手の向上を図った給湯装置を提供することができる。
【００１２】
第２の発明は、水量制御弁の下流側で給湯路と利用側回路を連通するよう形成された注湯回路をさらに備え、水単独供給時には、前記水量制御弁を遮断状態としバイパス制御弁を連通状態として前記注湯回路から出水可能としたものである。
【００１３】
そして、給湯循環回路と給湯路を水量制御弁により遮断可能とし、その下流側にバイパス通路から注湯回路を経由して浴槽内に水単独供給を可能とする経路を構成することで、暖房運転中でも浴槽内に水のみを供給するぬるめ運転を行うことが可能となり、使い勝手の向上を図ることができる。
【００１４】
第３の発明は、利用側熱交換器として、暖房や浴室乾燥等を行う暖房装置を有する暖房回路に熱量を供給する暖房用熱交換器として用い、給湯または暖房の単独利用、あるいは給湯と暖房の同時利用、を選択できるようにしたことを特徴とするもので、給湯用熱交換器と潜熱回収用熱交換器で構成する給湯循環回路を用いて給湯と暖房を行うように構成した給湯装置に限定したものであり、給湯と暖房を１つの加熱経路で構成することで、配管構成を含む本体構成の簡素化により器具の小型化、軽量化を実現するとともに、潜熱回収により効率アップを図ることで給湯性能と暖房性能を同時に確保することができる。
【００１５】
第４の発明は、利用側熱交換器として、風呂の追い焚きを行う風呂回路に熱量を供給する風呂用熱交換器として用い、給湯または風呂追い焚きの単独利用、あるいは給湯と風呂追い焚きの同時利用、を選択できるようにしたことを特徴とするもので、給湯用熱交換器と潜熱回収用熱交換器で構成する給湯循環回路を用いて給湯と風呂追い焚きを行うように構成した給湯装置に限定したものであり、給湯と風呂追い焚きを１つの加熱経路で構成することで、配管構成を含む本体構成の簡素化により器具の小型化、軽量化を実現するとともに、潜熱回収により効率アップを図ることで給湯性能と風呂追い焚き性能を同時に確保することができる。
【００１６】
第５の発明は、利用側熱交換器として、暖房や浴室乾燥等を行う暖房装置を有する暖房
回路に熱量を供給する暖房用熱交換器と、風呂の追い焚きを行う風呂回路に熱量を供給する風呂用熱交換器を設け、給湯または暖房または風呂追い焚きの単独利用、あるいは給湯と暖房と風呂追い焚きのうち少なくとも２つの同時利用、を選択できるようにしたことを特徴とするもので、給湯用熱交換器と潜熱回収用熱交換器で構成する給湯循環回路を用いて給湯と暖房と風呂追い焚きを行うように構成した給湯装置に限定したものであり、給湯と暖房と風呂追い焚きを１つの加熱経路で構成することで、配管構成を含む本体構成の簡素化により器具の小型化、軽量化を実現するとともに、潜熱回収により効率アップを図ることで給湯性能と暖房性能と風呂追い焚き性能を同時に確保することができる。
【００１７】
第６の発明は、利用側熱交換器として複数個設ける場合、給湯循環回路に対して各熱交換器を並列に接続し、給湯用熱交換器から供給される湯水温度が略同一となるようにしたことを特徴とするもので、給湯用熱交換器と潜熱回収用熱交換器で構成する給湯循環回路に複数の利用側熱交換器を並列に接続して使用することで、給湯循環回路の通路抵抗を小さくすることができ、循環ポンプの小型化・軽量化が可能になる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における給湯装置の構造図を示すものである。
【００２０】
図１において、まず給水路１より供給される水をバーナ２の燃焼により加熱し所定の温度に上昇した後、出湯路に供給し、利用側熱交換器である暖房用熱交換器１８の一次側経路を経由した後、循環ポンプ１７を介して再度給水路１に合流させて給湯循環回路１９を形成している。そして、暖房用熱交換器１８を経由した後の給湯循環回路１９から分岐させて給湯路３を形成し、この給湯路３に水量制御弁３４を配設して給湯循環回路１９と給湯路３を遮断または連通可能な構成としている。そして、前記水量制御弁３４の下流側に給湯路３と給水路１を連通させたバイパス通路４を形成し、給湯路３を利用する場合は前記水量制御弁３４を連通状態として給水路１より供給される水の一部をバイパス制御弁５を介して供給することで所望の湯水に調整し、給湯栓６より出湯する給湯路３を構成している。また、給湯路３を利用せず給湯栓６から水単独供給を行う場合は、前記水量制御弁３４を遮断状態として給水路１より供給される水をバイパス制御弁５を制御して所定の流量に調整することで、水単独供給が可能となり、このとき給湯循環回路１９は給湯路３と遮断状態にあるため、暖房用熱交換器１８を利用した暖房運転が行われたとしても給湯循環回路１９の高温の循環水が給湯栓６の水単独供給に影響を及ぼすことはなく、暖房運転をしながら水のみを供給する利用形態を確保することができる。このように、暖房運転をしながら水単独供給を行う場合、給湯用熱交換器１５と潜熱回収熱交換器１６には必ず循環水が循環している状態で燃焼が行われるため、沸騰現象等の異常燃焼が発生することがなく、安全で使い勝手のよい給湯装置を提供することができる。
【００２１】
ここで、バーナ２はガス元電磁弁７、ガス比例弁８、ガス切替弁９が配設されたガス供給路１０より燃料が供給され、燃焼用ファン１１より燃焼用空気が供給されて、予め定められたシーケンスに従い燃焼動作が行われる。そして、バーナ２の燃焼により発生する燃焼ガスは燃焼室１２を通って排気通路１３を経由し排気口１４から器具外に排出される。
【００２２】
この燃焼ガスの排気経路に燃焼ガスの顕熱を回収する給湯用熱交換器１５と燃焼排ガスの潜熱を回収する潜熱回収用熱交換器１６を配設している。具体的には、バーナ２の下流側燃焼室１２に給湯用熱交換器１５を設け、その下流側排気通路１３に潜熱回収用熱交換器１６を設け、前記給水路１より供給される水を、まず潜熱回収用熱交換器１６に供給し燃焼排ガス中の潜熱を回収したのち、給湯用熱交換器１５に供給しバーナ２の燃焼により
所定の高温水に上昇させて出湯路３に供給する。このように従来の給湯用熱交換器１５による熱回収に加え、燃焼排ガスの潜熱を回収する潜熱回収用熱交換器１６を設けることで、総合的な熱効率を高め省エネを図るものである。
【００２３】
暖房回路２０は、暖房用熱交換器１８の２次側に放熱機２１等の負荷を接続して閉回路を形成し、暖房用循環ポンプ２２で循環させることにより、前記暖房用熱交換器１８で給湯循環回路１９より供給される高温水と熱交換して暖房熱量を確保するようにしている。
【００２４】
以上のように構成された燃焼装置について、以下その動作、作用を説明する。
【００２５】
まず、給湯運転時には、給湯栓６を開くと給水路１に配設した給水側流量センサー２３が通水を検知し、この通水信号で燃焼用ファン１１が動作し同時にガス元電磁弁７、ガス比例弁８が開き、バーナ２に燃料と燃焼用空気が供給されて着火動作により燃焼が開始する。このバーナ２の燃焼開始により発生した燃焼ガスは燃焼室１２から排気通路１３を経由して排気口１４より排出される。この燃焼ガスの排気動作の過程において燃焼室１２に配設した給湯用熱交換器１５と排気通路１３に配設した潜熱回収用熱交換器１６で給水路１より供給される水が加熱される。
【００２６】
給湯用熱交換器１５で加熱された湯水は、給湯路３に供給され水量制御弁３４が連通状態にあるため、前記給湯用熱交換器１５と潜熱回収用熱交換器１６を迂回するように給水路１と給湯路３を連通して設けたバイパス通路４に配設したバイパス制御弁５により入水側の水と混合される。混合された湯は遠隔操作用リモコン２４で設定した給湯設定温度になるよう出湯サーミスター２５の信号によりバイパス制御弁５の開度を調整し、給湯接続口２６を経て給湯栓６より給湯される。
【００２７】
このように、給湯単独運転を選択する場合は、遠隔操作用リモコン２４で所望の温度を設定し給湯栓６を開くことで自動的に設定された湯温の湯水を確保することができる。また、遠隔操作用リモコン２４がオフ状態で給湯栓６が開かれた場合、水量制御弁３４が遮断状態となっているため、給湯循環回路１９と給湯路３は遮断された状態となり、給湯栓６へは給湯循環回路１９を経由することなく、バイパス通路４をから所定開度に調節されたバイパス制御弁５を介して水単独供給が行われる。この水単独供給の場合に水量制御弁３４により給湯循環回路１９と給湯路３を遮断状態とすることで、給湯循環回路１９内の湯水を低下させることがなく、次回の暖房運転時に素早い湯水の立ち上がり性能を確保することができる。
【００２８】
次に暖房運転時には、放熱機２１等の暖房端末装置に内蔵した制御器（図示せず）の運転指令で、暖房回路２０に設けた暖房用循環ポンプ２２が駆動し、この運転指令に連動して給湯循環回路１９の湯水を循環させる循環ポンプ１７が駆動し、同時にバーナ２の着火動作により燃焼が開始する。このバーナ２の燃焼開始により発生した燃焼ガスは燃焼室１２から排気通路１３を経由して排気口１４より排出される。この燃焼ガスの排気動作の過程において燃焼室１２に配設した給湯用熱交換器１５と排気通路１３に配設した潜熱回収用熱交換器１６で給水路１より供給される水が加熱される。
【００２９】
給湯用熱交換器１５で加熱された湯水は循環ポンプ１７により暖房用熱交換器１８の１次側経路を経由しながら給湯循環回路１９を循環し、水−水熱交換構成により熱交換され暖房回路２０へ伝熱される。暖房用熱交換器１８で受熱した暖房回路２０の熱は、放熱機２１で温風として放熱される。そして、暖房用熱交換器１８で熱交換された高温水は潜熱回収用熱交換器１６の上流側給水路１に戻し、給湯循環回路１９を形成し、放熱機２１からの暖房運転指令が発せられている間、所定の湯温に維持して循環を継続する。
【００３０】
このように、利用側熱交換器である暖房用熱交換器１８を経由した後の給湯循環回路１９から給湯路３を分岐し、この給湯路３に水量制御弁３４を配することで、給湯循環回路１９と給湯路３を遮断状態または連通状態とすることが可能となり、暖房運転に必要な高温水を確保しつつ、給湯路３に対して高温水から低温水まで幅広い範囲の湯水を供給することが可能な給湯優先動作を確保することができる。つまり、暖房運転をしながら給湯動作を行う場合は、水量制御弁３４を連通状態とすることでバイパス通路４から供給される水と混合して所望の湯水を確保することができ、暖房運転をしながら水単独供給を行う場合は、水量制御弁３４を遮断状態とすることで、給湯循環回路１９内の湯水を循環させながら、バイパス通路４から供給される水を単独で給湯栓６より供給することができる。
【００３１】
ここで、燃焼排ガスの潜熱を回収する潜熱回収用熱交換器１６は、排ガス経路に対して給湯用熱交換器１５の下流側に位置させ、給水経路に対して給湯用熱交換器１５の上流側に位置させて設けており、潜熱回収熱交換器１６で余熱された湯水を給湯用熱交換器１５で加熱するようにしている。これによりバーナ２の燃焼で発生した熱量を効率よく熱交換することができ省エネにつながる。
【００３２】
また、暖房用熱交換器１８を経由した後の給湯路３と分岐するまでの給湯循環回路１９の途中に循環量を検出する給湯流量センサ３３を設けてあり、この給湯流量センサ３３からの流量信号が出力されているときのみ、バーナ２の燃焼動作を行うようにしている。つまり、前記給湯流量センサ３３は給湯循環回路１９内に湯水が存在しない状態でバーナ２の燃焼動作が行われることを防止する、いわゆる空焼き燃焼を未然に防止するために設けたものである。例えば、断水状態において、給湯栓６が開栓されると給湯循環回路１９内の湯水は給湯路３から抜け落ちて空の状態となり、この状態で暖房運転の指示が行われると、循環ポンプ１７が動作を開始する。今まではこの循環ポンプ１７の回転信号によりバーナ２の燃焼動作を開始するようにしていたため、給湯循環回路１９に湯水が循環していない状態で燃焼が行われ、空焼き運転が継続されて過熱防止装置が作動するまで燃焼を停止させることができなかった。
【００３３】
そこで、本発明では上記した如く、給湯流量センサ３３を設け、暖房運転の指示が行われ循環ポンプ１７が動作を開始したとしても、給湯流量センサ３３からの流量信号が出力されない限りバーナ２の燃焼動作に移行しないようにしたものである。つまり、１缶多水路の構成に起因する特有の課題を解決したもので、給湯路と利用側回路を共通の湯水供給路を利用して運転を行う構成としたものにおいて、前記共通の湯水供給路内の流量有無を確認することで、利用側回路を使用するときの空焚き現象を防止するようにしたものである。
【００３４】
また、潜熱回収用熱交換器１６の構成としては図２に示すように、ステンレス鋼製の側板１６ａ、１６ｂと、前記側板１６ａ、１６ｂの間に配列したステンレス鋼製のプレートフィン１６ｃと、前記側板１６ａ、１６ｂとプレートフィン１６ｃに設けた開口部に貫通させて並設したステンレス鋼製の鞘管１６ｄと、前記鞘管１６ｄに内通させ入水口１６ｅと出水口１６ｆを設けた複数の銅製通水管１６ｇと、前記通水管１６ｇの入水口１６ｅを集合させて１つの入水経路を形成する入水ヘッダー１６ｈと、前記通水管１６ｇの出水口１６ｆを集合させて１つの入水経路を形成する出水ヘッダー１６ｉとを備え、前記通水管１６ｇを排ガス経路内において２重管構造とし、前記入水ヘッダー１６ｈ、出水ヘッダー１６ｉを介して並列の熱交換経路を形成するようにしている。
【００３５】
この構成により、給水路１より供給される水は入水ヘッダー１６ｈより複数の通水管１６ｇを並列に流れて出水ヘッダー１６ｉで集合され、給湯用熱交換器１５に供給される。そして、排ガス経路内はステンレス鋼製の鞘管１６ｄで通水管１６ｇを覆っているため、結露水による腐食の問題も抑制され、燃焼排ガス中の潜熱を回収することで熱効率のアッ
プを図ることができる。
【００３６】
また、通水管１６ｇの入水口１６ｅと出水口１６ｆを入水ヘッダー１６ｈと出水ヘッダー１６ｉで集合させることにより潜熱回収用熱交換器１６内を複数の通水経路を介して通水することができ、給湯循環回路１９の通路抵抗を小さくすることができ、循環ポンプ１７の小型化・軽量化が可能になる。さらに、通水管１６ｇの一方側で集合して入水経路と出水経路を形成する構成とすることで、通水管１６ｇの配設構成を簡素化し加工性の向上を図ることができる。
【００３７】
以上のように本実施の形態においては、給湯用熱交換器１５と潜熱回収用熱交換器１６で１つの加熱経路を形成し、前記加熱経路の循環水を利用して利用側負荷回路である暖房回路２０に熱量を供給する構成としているため、前記給湯用熱交換器１５や潜熱回収用熱交換器１６に関連しない利用側熱交換器である暖房用熱交換器１８の構成を可能とし、配管構成を含む本体構成の簡素化により器具の小型化、軽量化を実現するとともに、前記加熱経路を給湯路を主体とすることで給湯性能を優先した使い勝手のよい給湯装置を提供することができ、また、給湯路を主体とする１つの加熱経路構成とすることで、単独運転時における熱交換器内の残水沸騰問題を解消するとともに、前記加熱経路と給湯路を水量制御弁により遮断可能な構成とすることで、暖房運転や風呂追い焚き運転中の水単独供給を可能とすることができ、さらに、潜熱回収用熱交換器１６の耐食性向上のための構成を容易にし、高効率でランニングコストの低減を図った給湯装置を提供することができる。
【００３８】
（実施の形態２）
図３は、本発明の第２の実施の形態における給湯装置の構造図を示すものである。
【００３９】
本実施の形態は、第１の実施の形態における給湯装置の利用側熱交換器として、風呂の追い焚きを行う風呂回路に熱量を供給する風呂用熱交換器を用いた給湯装置に関するものである。なお、第１の実施の形態と同一符号のものは同一構造を有し、説明は省略する。
【００４０】
風呂用熱交換器２７は給湯循環回路１９に接続され、潜熱回収用熱交換器１６と給湯用熱交換器１５で加熱された高温水を循環ポンプ１７で循環させながら熱交換し風呂回路２８に熱量を供給する。風呂回路２８は風呂用循環ポンプ２９、水量検知部３０を通って浴槽３１の湯を風呂用熱交換器２７に供給し所定時間循環させることで浴槽水の追い焚きを行う。また、風呂用熱交換器２７を経由した後の給湯循環回路１９から分岐させて給湯路３を形成し、この給湯路３に水量制御弁３４を配設して給湯循環回路１９と給湯路３を遮断または連通可能な構成としている。そして、前記水量制御弁３４の下流側に給湯路３と給水路１を連通させたバイパス通路４を形成し、このバイパス通路４の下流側の給湯路３から風呂回路２８に連通する浴槽３１へ湯張りを行う注湯回路３２を形成している。
【００４１】
そして、給湯路３を利用する場合は前記水量制御弁３４を連通状態として給水路１より供給される水の一部をバイパス制御弁５を介して供給することで所望の湯水に調整し、注湯回路３２を介して浴槽３１へ湯張りを行う。また、給湯路３を利用せず注湯回路３２から水単独供給を行う、いわゆるぬるめ運転を行う場合は、前記水量制御弁３４を遮断状態として給水路１より供給される水をバイパス制御弁５を制御して所定の流量に調整することで、水単独供給が可能となり、このとき給湯循環回路１９は給湯路３と遮断状態にあるため、風呂用熱交換器２７を利用した風呂追い焚き運転が行われたとしても給湯循環回路１９の高温の循環水が注湯回路３２の水単独供給に影響を及ぼすことはなく、風呂追い焚き運転をしながら水のみを供給する利用形態を確保することができる。このように、風呂追い焚き運転をしながら水単独供給を行う場合、給湯用熱交換器１５と潜熱回収熱交換器１６には必ず循環水が循環している状態で燃焼が行われるため、沸騰現象等の異常燃焼が発生することがなく、安全で使い勝手のよい給湯装置を提供することができる。
【００４２】
次にその動作、作用を説明すると、風呂運転時には、遠隔操作用リモコン２４で風呂運転の指示を行うと、風呂回路２８に設けた風呂用循環ポンプ２９が駆動し水流検知部３０で浴槽水の循環が検知されると、その検知信号で給湯循環回路１９の湯水を循環させる循環ポンプ１７が駆動し、同時にバーナ２の着火動作により燃焼が開始される。
【００４３】
このバーナ２の燃焼開始により発生した燃焼ガスは燃焼室１２から排気通路１３を経由して排気口１４より排出される。この燃焼ガスの排気動作の過程において燃焼室１２に配設した給湯用熱交換器１５と排気通路１３に配設した潜熱回収用熱交換器１６で給水路１より供給される水が加熱される。
【００４４】
給湯用熱交換器１５で加熱された湯水は循環ポンプ１７で風呂用熱交換器２７に供給され、水−水熱交換構成により熱交換され風呂回路２８へ伝熱される。風呂用熱交換器２７で受熱した風呂回路２８の熱は、浴槽３１の湯温を上昇させ所定の追い焚き湯温を確保する。そして、風呂用熱交換器２７で熱交換された高温水は潜熱回収用熱交換器１６の上流側給水路１に戻し、給湯循環回路１９を形成し、遠隔操作用リモコン２４で設定された所定の追い焚き条件を満足するまで所定の湯温に維持して循環を継続する。
【００４５】
このように、利用側熱交換器である風呂用熱交換器２７を経由した後の給湯循環回路１９から給湯路３を分岐し、この給湯路３に水量制御弁３４を配することで、給湯循環回路１９と給湯路３を遮断状態または連通状態とすることが可能となり、風呂追い焚き運転に必要な高温水を確保しつつ、給湯路３に対して高温水から低温水まで幅広い範囲の湯水を供給することが可能な給湯優先動作を確保することができる。つまり、風呂追い焚き運転をしながら給湯動作または注湯動作を行う場合は、水量制御弁３４を連通状態とすることでバイパス通路４から供給される水と混合して所望の湯水を確保することができ、風呂追い焚き運転をしながら水単独供給を行う、いわゆるぬるめ運転を行う場合は、水量制御弁３４を遮断状態とすることで、給湯循環回路１９内の湯水を循環させながら、バイパス通路４から供給される水を単独で注湯回路３２に供給することができる。
【００４６】
ここで、燃焼排ガスの潜熱を回収する潜熱回収用熱交換器１６は、排ガス経路に対して給湯用熱交換器１５の下流側に位置させ、給水経路に対して給湯用熱交換器１５の上流側に位置させて設けており、潜熱回収熱交換器１６で予熱された湯水を給湯用熱交換器１５で加熱するようにしている。これにより、風呂追い焚き運転時においてもバーナ２の燃焼で発生した熱量を効率よく熱交換することができ省エネにつながる。
【００４７】
また、風呂用熱交換器２７を経由した後の給湯路３と分岐するまでの給湯循環回路１９の途中に循環量を検出する給湯流量センサ３３を設けてあり、この給湯流量センサ３３からの流量信号が出力されているときのみ、バーナ２の燃焼動作を行うようにしている。つまり、前記給湯流量センサ３３は給湯循環回路１９内に湯水が存在しない状態でバーナ２の燃焼動作が行われることを防止する、いわゆる空焼き燃焼を未然に防止するために設けたものである。例えば、断水状態において、給湯栓６が開栓されると給湯循環回路１９内の湯水は給湯路３から抜け落ちて空の状態となり、この状態で風呂追い焚き運転の指示が行われると、循環ポンプ１７が動作を開始する。今まではこの循環ポンプ１７の回転信号によりバーナ２の燃焼動作を開始するようにしていたため、給湯循環回路１９に湯水が循環していない状態で燃焼が行われ、空焼き運転が継続されて過熱防止装置が作動するまで燃焼を停止させることができなかった。
【００４８】
そこで、本発明では上記した如く、給湯流量センサ３３を設け、風呂追い焚き運転の指示が行われ循環ポンプ１７が動作を開始したとしても、給湯流量センサ３３からの流量信号が出力されない限りバーナ２の燃焼動作に移行しないようにしたものである。つまり、
１缶多水路の構成に起因する特有の課題を解決したもので、給湯路と利用側回路を共通の湯水供給路を利用して運転を行う構成としたものにおいて、前記共通の湯水供給路内の流量有無を確認することで、利用側回路を使用するときの空焚き現象を防止するようにしたものである。
【００４９】
また、注湯回路３２をバイパス通路４の下流側の給湯路３より混合された湯水を供給するようにしたことで、潜熱回収用熱交換器１６と給湯用熱交換器１５で効率よく加熱された湯水をバイパス通路４より供給される水と混合して所望の湯水を確保した後、注湯回路３２より風呂回路２８に供給することで、効率のよい風呂運転が可能になる。
【００５０】
以上のように本実施の形態においては、給湯と風呂追い焚きを１つの加熱経路で構成することで、配管構成を含む本体構成の簡素化により器具の小型化、軽量化を実現するとともに、潜熱回収により効率アップを図ることで給湯性能と風呂追い焚き性能を同時に確保することができる。
【００５１】
（実施の形態３）
図４は、本発明の第３の実施の形態における給湯装置の構造図を示すものである。
【００５２】
本実施の形態は、第１の実施の形態における給湯装置の利用側熱交換器として、暖房や浴室乾燥等を行う放熱機２１を有する暖房回路に熱量を供給する暖房用熱交換器と、風呂の追い焚きを行う風呂回路に熱量を供給する風呂用熱交換器を用いた給湯装置に関するものである。なお、第１の実施の形態と同一符号のものは同一構造を有し、説明は省略する。
【００５３】
暖房用熱交換器１８と風呂用熱交換器２７は給湯循環回路１９に並列に接続され、潜熱回収用熱交換器１６と給湯用熱交換器１５で加熱された高温水を循環ポンプ１７で循環させながら熱交換し、暖房回路２０または風呂回路２８に熱量を供給する。
【００５４】
次にその動作、作用を説明すると、暖房運転時には、放熱機２１の運転指令で、暖房回路２０に設けた暖房ポンプ２２が駆動し、連動して給湯循環回路１９の温水を循環させるポンプ１７が駆動することによりバーナ２に着火し、燃焼された熱を回収する給湯用熱交換器１５で加熱された温水は暖房用熱交換器１８で熱交換され暖房回路２０へ伝熱される。暖房用熱交換器１８で受熱した暖房回路２０の熱は、放熱機２１で温風として放熱される。
【００５５】
また、風呂運転時には、遠隔操作用リモコン２４の運転指令で、風呂回路２８に設けた風呂用循環ポンプ２９が駆動し水流検知部３０にて循環が検知されると、連動して給湯循環回路１９の温水を循環させるポンプ１７が駆動することによりバーナ２に着火し、燃焼された熱を回収する給湯用熱交換器１５で加熱された温水は風呂用熱交換器２７で熱交換され風呂回路２８へ伝熱される。風呂用熱交換器２７で受熱した風呂回路２８の熱は、浴槽３１へ循環し追い焚き加熱される。
【００５６】
また、暖房と風呂同時運転時には、放熱機２１と遠隔操作用リモコン２４からの運転指令により、暖房回路２０と風呂回路２８のポンプ２２、２９が駆動しバーナ２の着火動作により燃焼が開始する。この燃焼により給湯循環回路１９の循環水は潜熱回収用熱交換器１６と給湯用熱交換器１５で加熱され所定の高温水の状態を維持しながら循環する。この高温の循環水は暖房用熱交換器１８と風呂用熱交換器２７に略同一の温度で供給され、暖房回路２０と風呂回路２８に伝熱される。
【００５７】
また、上記以外の組み合わせによる同時運転も可能であり、暖房用熱交換器１８と風呂
用熱交換器２７とを給湯循環回路１９に並列に構成しているため、循環回路の通路抵抗を小さくすることができ、循環ポンプ１７の小型化・軽量化が可能となる。
【００５８】
このように、利用側熱交換器である暖房用熱交換器１８および風呂用熱交換器２７を経由した後の給湯循環回路１９から給湯路３を分岐し、この給湯路３に水量制御弁３４を配することで、給湯循環回路１９と給湯路３を遮断状態または連通状態とすることが可能となり、暖房運転や風呂追い焚き運転の利用側負荷の運転に必要な高温水を確保しつつ、給湯路３に対して高温水から低温水まで幅広い範囲の湯水を供給することが可能な給湯優先動作を確保することができる。つまり、利用側負荷の運転をしながら給湯動作または注湯動作を行う場合は、水量制御弁３４を連通状態とすることでバイパス通路４から供給される水と混合して所望の湯水を確保することができ、利用側負荷の運転をしながら水単独供給を行う場合は、水量制御弁３４を遮断状態とすることで、給湯循環回路１９内の湯水を循環させながら、バイパス通路４から供給される水を単独で注湯回路３２に供給することができる。
【００５９】
ここで、燃焼排ガスの潜熱を回収する潜熱回収用熱交換器１６は、排ガス経路に対して給湯用熱交換器１５の下流側に位置させ、給水経路に対して給湯用熱交換器１５の上流側に位置させて設けており、潜熱回収熱交換器１６で予熱された湯水を給湯用熱交換器１５で加熱するようにしている。これにより、複数の利用側負荷の運転時においてもバーナ２の燃焼で発生した熱量を効率よく熱交換することができ省エネにつながる。
【００６０】
また、暖房用熱交換器１８および風呂用熱交換器２７を経由した後の給湯路３と分岐するまでの給湯循環回路１９の途中に循環量を検出する給湯流量センサ３３を設けてあり、この給湯流量センサ３３からの流量信号が出力されているときのみ、バーナ２の燃焼動作を行うようにしている。つまり、前記給湯流量センサ３３は給湯循環回路１９内に湯水が存在しない状態でバーナ２の燃焼動作が行われることを防止する、いわゆる空焼き燃焼を未然に防止するために設けたものである。例えば、断水状態において、給湯栓６が開栓されると給湯循環回路１９内の湯水は給湯路３から抜け落ちて空の状態となり、この状態で暖房運転や風呂追い焚き運転の指示が行われると、循環ポンプ１７が動作を開始する。今まではこの循環ポンプ１７の回転信号によりバーナ２の燃焼動作を開始するようにしていたため、給湯循環回路１９に湯水が循環していない状態で燃焼が行われ、空焼き運転が継続されて過熱防止装置が作動するまで燃焼を停止させることができなかった。
【００６１】
そこで、本発明では上記した如く、給湯流量センサ３３を設け、暖房運転や風呂追い焚き運転の指示が行われ循環ポンプ１７が動作を開始したとしても、給湯流量センサ３３からの流量信号が出力されない限りバーナ２の燃焼動作に移行しないようにしたものである。つまり、１缶多水路の構成に起因する特有の課題を解決したもので、給湯路と利用側回路を共通の湯水供給路を利用して運転を行う構成としたものにおいて、前記共通の湯水供給路内の流量有無を確認することで、利用側回路を使用するときの空焚き現象を防止するようにしたものである。
【産業上の利用可能性】
【００６２】
以上のように、本発明にかかる給湯装置は、給湯循環回路を主回路として給湯と暖房、または給湯と風呂、または給湯と暖房と風呂を単一の循環路を熱源とし、循環路と給湯路を遮断または連通する水量制御弁を配したことにより、負荷側運転をしながら水単独供給を行うことができるとともに、器具の小型化・軽量化ができ、設置スペースの余裕確保、施工性の向上と、潜熱回収熱交換器を備えることにより、高効率化を実現しランニングコストの低減による省エネルギー化を図ることが可能となるため、ガス、石油の給湯風呂装置、給湯暖房機等の用途にも適用できる。
【図面の簡単な説明】
【００６３】
【図１】本発明の実施の形態１における給湯装置の構造図
【図２】同給湯装置の潜熱回収熱交換器の構造図
【図３】本発明の実施の形態２における給湯装置の構造図
【図４】本発明の実施の形態３における給湯装置の構造図
【符号の説明】
【００６４】
１  給水路
２  バーナ（加熱手段）
３  給湯路
１３  排気通路（排熱経路）
１５  給湯用熱交換器
１６  潜熱回収用熱交換器
１７  給湯用循環ポンプ
１８  暖房用熱交換器（利用側熱交換器）
１９  給湯循環回路
２０  暖房回路
２１  放熱機
２２  暖房用循環ポンプ
２３  水側流量センサ
２７  風呂用熱交換器（利用側熱交換器）
２８  風呂回路
２９  風呂用循環ポンプ
３１  浴槽
３２  注湯回路
３３  給湯流量センサ
３４  水量制御弁
３５  注湯弁
【図１】
0004770377.tif 000002
【図２】
0004770377.tif 000003
【図３】
0004770377.tif 000004
【図４】
0004770377.tif 000005